(57)【要約】【課題】フェーダ機能の使用・不使用の指示を、容易にかつ所望のタイミングで行えるようにする。【解決手段】記録の開始を指示する操作が所定の一定期間継続した場合に、撮像して得た映像信号と、黒レベル信号又は白レベル信号とを、各信号の出力レベルを相反する割合で増大又は減少させながら所定の期間かけて合成するフェード処理を行うと共に記録を開始させ、記録の停止を指示する操作が所定の一定期間継続した場合には、フェード処理を行うと共にフェード処理終了後に記録を停止させるようにした。【選択図】図４
2008053840.tif 000002
【特許請求の範囲】
【請求項１】
動画像を撮像して映像信号を生成する撮像部と、該撮像部より得た映像信号を映像データとして記録する記録部とを備えるビデオカメラにおいて、
前記記録部に記録の開始又は停止を指示する操作部と、
前記撮像部より得た映像信号と、黒レベル信号又は白レベル信号とを、各信号の出力レベルを相反する割合で増大又は減少させながら所定の期間かけて合成するフェード処理を行うフェード処理部と、
前記操作部での前記記録部への記録開始指示操作又は記録停止指示操作が所定の一定期間継続した場合に、前記フェード処理部にフェード処理を行わせた上で、前記記録部への記録開始指示又は記録停止指示を行う制御部とを備えたことを特徴とする
ビデオカメラ。
【請求項２】
請求項１記載のビデオカメラにおいて、
前記記録部に対する記録開始の指示と、前記記録部に対する記録停止の指示とは、前記操作部が備える同一の操作子に対する操作によって行われることを特徴とする
ビデオカメラ。
【請求項３】
請求項１記載のビデオカメラにおいて、
前記制御部は、前記操作部での前記記録部への前記記録指示操作又は前記記録停止指示操作が所定の一定期間継続しなかった場合は、前記フェード処理部へのフェード処理開始指示は行わずに前記記録部への記録開始指示又は記録停止指示を行うことを特徴とする
ビデオカメラ。
【請求項４】
請求項１記載のビデオカメラにおいて、
前記制御部が前記記録部に対して行う前記記録開始指示又は前記記録停止指示は、前記記録部への記録開始指示操作又は記録停止指示操作が所定の一定期間継続した時点で行われることを特徴とする
ビデオカメラ。
【請求項５】
請求項１記載のビデオカメラにおいて、
前記制御部が前記記録部に対して行う前記記録開始指示又は前記記録停止指示は、前記操作部での前記記録部への前記記録開始指示操作又は前記記録停止指示操作が終了したタイミングで行われることを特徴とする
ビデオカメラ。
【請求項６】
請求項１記載のビデオカメラにおいて、
前記フェード処理部でのフェード処理は、前記操作部での前記記録部への記録開始指示操作又は記録停止指示操作が継続した期間と同じ期間かけて行われることを特徴とする
ビデオカメラ。
【請求項７】
請求項１記載のビデオカメラにおいて、
所定量の映像データを蓄積可能なフレームメモリを備え、
前記制御部は、前記操作部での前記記録部への前記記録開始指示操作を検知したタイミングで、前記撮像部から得た映像データの前記フレームメモリへの蓄積を開始させると共に、前記操作部での前記記録部への前記記録開始指示操作が所定の期間継続した場合に、前記フェード処理部へのフェード処理開始指示を行うと共に、前記フレームメモリに蓄積された前記映像データを前記記録部に順次記録させる指示を行うことを特徴とする
ビデオカメラ。
【請求項８】
動画像を撮像して映像信号を生成する撮像部と、該撮像部より得た映像信号を映像データとして記録する記録部と、前記記録部に記録された映像データを再生する再生部とを備えるビデオカメラにおいて、
前記記録部に記録の開始又は停止を指示する操作部と、
前記記録部に記録された映像信号と、黒レベル信号又は白レベル信号とを、各信号の出力レベルを相反する割合で増大又は減少させながら所定の期間かけて合成するフェード処理を行うフェード処理部と、
前記操作部での前記記録部への記録開始指示操作又は記録停止指示操作の操作内容を前記記録部に記憶させ、前記操作部からの操作入力により前記再生部での再生を行う場合に前記記録部に記憶させた該操作内容を読み出して、該操作内容に応じて前記フェード処理部にフェード処理を行わせる制御部とを備えたことを特徴とする
ビデオカメラ。
【請求項９】
動画像を撮像して映像信号を生成する撮像部と、該撮像部より得た映像信号を映像データとして記録する記録部とを備える記録装置において、
前記記録部に記録を指示する操作部と、
前記撮像部より得た映像信号と、黒レベル信号又は白レベル信号とを、各信号の出力レベルを相反する割合で増大又は減少させながら所定の期間かけて合成するフェード処理を行うフェード処理部と、
前記操作部での前記記録部への記録開始指示操作又は記録停止指示操作が所定の一定期間継続した場合に、前記フェード処理部にフェード処理を行わせた上で、前記記録部への記録開始指示又は記録停止指示を行う制御部とを備えたことを特徴とする
記録装置。
【請求項１０】
動画像を撮像して映像信号を生成し、該映像信号を映像データとして記録する記録方法において、
前記記録の開始を指示する操作又は停止を指示する操作が所定の一定期間継続した場合に、前記撮像して得た映像信号と、黒レベル信号又は白レベル信号とを、各信号の出力レベルを相反する割合で増大又は減少させながら所定の期間かけて合成するフェード処理を行うと共に前記記録を開始させ、前記記録の停止を指示する操作が所定の一定期間継続した場合には、該フェード処理を行うと共にフェード処理終了後に前記記録を停止させることを特徴とする
記録方法。
【請求項１１】
動画像を撮像して映像信号を生成し、該映像信号を映像データとして記録し、記録された映像データを再生する記録再生方法において、
前記記録の開始を指示する操作又は停止を指示する操作の操作内容を記憶し、前記再生を行う場合に、該記憶させた該操作内容を読み出して、該操作内容に応じて、前記記録された映像信号と黒レベル信号又は白レベル信号とを、各信号の出力レベルを相反する割合で増大又は減少させながら所定の期間かけて合成するフェード処理を行う
記録再生方法。
【発明の詳細な説明】
【技術分野】
【０００１】
本発明は、フェーダ機能を有するビデオカメラ、記録装置、記録再生装置、記録方法及び記録再生方法に関する。
【背景技術】
【０００２】
ビデオカメラや、動画像の撮像及び記録機能を有する撮像装置において、記録した映像の再生時に映像を徐々にフェードインさせたり、再生終了時には徐々にフェードアウトさせるフェーダ機能を備えたものが知られている。これらの装置において、フェーダ機能の有効・無効の設定は、表示部等に表示されるメニューの選択や、専用のボタンやスイッチ等の操作子を操作することにより行うようにしてある。
【０００３】
フェードイン効果を追加した上で記録を開始又は停止させたい場合は、装置の電源投入後に上述したような操作を行ってフェーダ機能を有効にした上で記録を開始すればよく、フェーダ機能を使わずに記録を開始又は停止させたい場合は、上述したような操作を行ってフェーダ機能を無効にした上で記録動作を開始又は停止させればよい。また、装置の電源をオフした時点でフェーダ機能も自動的に無効にする設定にしてある装置も多く、このような装置においては、装置の電源をオフにすることでフェーダ機能を無効にさせることもできるようになっている。
【０００４】
特許文献１には、フェードイン時とフェードアウト時とで異なるパターンの画面遷移が行われる場合に、その制御をフェーダレバーの操作に基づいて行うことについての開示がある。
【特許文献１】特開２００４−１７３０７４号公報
【発明の開示】
【発明が解決しようとする課題】
【０００５】
ところで、電源をオフすることで、それに伴ってフェーダ機能も無効となる設定がされている装置においては、次の電源オン時にフェーダ機能を使いたい場合は、再びフェーダ機能を有効化させる操作を行う必要があり、手間であるという問題があった。
【０００６】
また、記録開始後にフェーダ機能を有効にさせたくなった場合には、一度記録動作を停止させてフェーダ機能有効化の操作を行った上で、再び記録動作を開始させる必要があった。つまり、フェーダ機能の使用・不使用を、記録に先立って装置に設定しておかなければならず、使い勝手がよくないという問題があった。
【０００７】
本発明はかかる点に鑑みてなされたものであり、フェーダ機能の使用・不使用の指示を、容易にかつ所望のタイミングで行えるようにすることを目的とする。
【課題を解決するための手段】
【０００８】
本発明は、動画像を撮像して映像信号を生成し、該映像信号を映像データとして記録する場合おいて、記録の開始を指示する操作が所定の一定期間継続した場合に、撮像して得た映像信号と、黒レベル信号又は白レベル信号とを、各信号の出力レベルを相反する割合で増大又は減少させながら所定の期間かけて合成するフェード処理を行うと共に記録を開始させ、記録の停止を指示する操作が所定の一定期間継続した場合には、フェード処理を行うと共にフェード処理終了後に記録を停止させるようにしたものである。
【０００９】
このようにしたことで、記録ボタンの長押し等がされて、記録を開始させるための操作が所定の一定期間継続して行われたと判断された場合に、フェードイン処理が行われると共に記録が開始される。また、記録が行われている状態で記録ボタンの長押し等がされて、記録を停止させるための操作が一定期間継続して行われたと判断された場合はフェードアウト処理が行われ、フェードアウト処理終了後に記録が停止する。
【発明の効果】
【００１０】
本発明によると、フェーダ機能の使用・不使用の指示を、容易にかつ所望のタイミングで行えるようになる。
【発明を実施するための最良の形態】
【００１１】
以下、本発明の一実施の形態を、図１〜図５を参照して説明する。
【００１２】
図１は、本例のシステム構成例を示したブロック図である。本例においては、フェーダ機能を有するビデオカメラに適用した例としてある。図１に示すビデオカメラはレンズ１を有し、レンズ１を介して撮像光が撮像部２の図示せぬ撮像面に結像される。撮像部２は、ＣＣＤ（charge-coupled device）素子やＣＭＯＳ（complementary metal oxide silicon）素子を用いた固体撮像素子で構成され、撮像部２は、レンズ１を介して結像された撮像光を光電変換して映像信号を生成する。撮像部２で生成された映像信号は、信号処理部３に供給される。
【００１３】
信号処理部３では、入力された映像信号のアナログ／デジタル変換を行って、デジタル化した画像信号に対してγ補正等の各種デジタル信号処理を行う他、所定の方式の映像信号とする処理を行う。信号処理部３で各種処理が施された映像信号は、フェード処理部４に供給される。
【００１４】
フェード処理部４は、信号処理部３より得た映像信号と、予め用意しておいた黒レベル信号又は白レベル信号とを、それぞれの信号の出力レベルを相反する割合で増大又は減少させながら所定の期間かけて合成するフェード処理を行う。フェード処理部４は、必要に応じて一定量の映像信号をフレームメモリ５に蓄積させ、所定のタイミングで蓄積された映像信号を読み出す処理を行う。フェード処理部４の処理の詳細については後述する。
【００１５】
本例のビデオカメラは、撮像部２に対する記録動作開始指示等、各部への指示を行うための操作部８を備えており、操作部８はボタンやスイッチ、つまみ等の操作子で構成される。操作部８への操作入力があると、操作入力信号が制御部６に供給され、制御部６では、操作部８での操作内容に応じた指令信号を生成してビデオカメラの各部に供給する。フェーダ処理部４におけるフェーダ処理の開始又は停止の指示は、操作部８のうち、ビデオカメラでの記録動作開始又は停止を指示する記録ボタン（図示せず）が一定時間押下された場合に行われるようにしてある。つまり、操作部８の記録ボタンが例えばｎ秒（ｎは０より大きな値）等の一定の期間押下され続けた場合に、制御部６が操作入力信号を検知し、フェード処理部４に対するフェード処理開始又は停止の指令信号を生成してフェード処理部４に供給するようにしてある。なお、ここでのｎ秒は、例えば０．５秒や１秒等、自由に設定可能なものとする。操作部８において上述した操作が行われなかった場合には、信号処理部３から出力される映像信号に対してフェード処理部４での処理は行われず、映像信号は後述する表示駆動部９又は符号化部１５に供給される。
【００１６】
本例のビデオカメラは、音声を得るためのマイクロフォン１１も備えており、マイクロフォン１１が拾って得た音声信号は、音声処理部１２に供給され、音声処理部１２にて信号増幅等の音声調整処理が行われる。そして、音声処理部１２で処理された音声信号は、フェード処理部１３に入力される。フェード処理部１３の動作は、フェード処理部４のそれと同様であり、操作部８からの操作入力信号に基づいて制御部６で生成される指令信号によって制御される。フェード処理部１３においても、必要に応じて一定量の映像信号をフレームメモリ１４に蓄積させ、蓄積された映像信号を読み出す処理が行われる。制御部６は、マイクロコンピュータなどで構成され、ビデオカメラの各部の制御を行う。制御部６にはＲＡＭ（Random Access Memory）７が接続してあり、ＲＡＭ７にはフェード処理部４又はフェード処理部１３におけるフェードイン処理やフェードアウト処理のモードの情報等、制御部６が制御を行う上で必要なデータが記憶されている。
【００１７】
ここで、図２を参照して、フェード処理部４及びフェード処理部１３でのフェードイン処理の詳細について説明する。図２においては、記録開始と同時にフェードイン処理を行う場合の例を示してあり、図２（ａ）は、映像信号に対してフェード処理を行うフェード処理部４の処理例を示した図である。
【００１８】
図２（ａ）において、映像信号は制御部６の制御に基づいて乗算器４ａに入力される。乗算器４ａでは、予め設定しておいた期間（以下、フェード期間と称す）の開始から終了までの間、係数を０から１まで増加させながら映像信号に掛け合わせることにより、映像信号の出力を０から１（本来の出力値）にまで変化させる。
【００１９】
また、同じフェード期間の開始から終了までの間に、乗算器４ｂでは係数を１から０まで減少させながら白レベル信号又は黒レベル信号に対して掛け合わせることにより、白レベル信号又は黒レベル信号の出力値を１から０まで変化させて出力する。乗算器４ａにおける係数と乗算器４ｂにおける係数とは相関させてあり、同じ時間軸において、乗算器４ｂにおける係数は、１−（乗算器４ａの係数）となる。そして、乗算器４ａと乗算器４ｂで算出されたそれぞれの値は、加算器４ｃで随時加算されて出力される。なお、フェード期間は例えば０．５秒や１秒等、自由に設定可能なものとする。
【００２０】
図２（ｂ）は、音声信号に対してフェード処理を行うフェード処理部１３の処理例を示した図である。図２（ｂ）において、音声信号は制御部６の制御に基づいて乗算器１３ａに入力され、乗算器１３ａにおいて、所定のフェード期間の開始から終了までの間係数を０から１まで増加させながら音声信号に掛け合わせることにより、音声信号の出力値を０から１にまで変化させて出力する。フェード処理部４とフェード処理部１３でのフェード処理は、制御部６の制御に基づいて同期が取られ、同時に行われるようにしてある。
【００２１】
図３は、フェード処理部４及びフェード処理部１３でのフェードアウト処理例を示した図であり、記録停止と同時にフェードアウト処理を行う場合の例を示してある。図３（ａ）では、映像信号に対するフェード処理部４の処理例を示してある。図３（ａ）において、映像信号は制御部６の制御に基づいて乗算器４ａに入力される。乗算器４ａでは、予め設定しておいたフェード期間の開始から終了までの間、係数を１から０まで減少させながら映像信号に掛け合わせることにより、映像信号の出力を１から０まで変化させる。
【００２２】
また、同じフェード期間の開始から終了までの間に、乗算器４ｂでは係数を１から０まで減少させながら白レベル信号又は黒レベル信号に対して掛け合わせることにより、白レベル信号又は黒レベル信号の出力値を１から０まで変化させて出力する。そして、乗算器４ａと乗算器４ｂで算出されたそれぞれの値は、加算器４ｃで随時加算されて出力される。
【００２３】
図３（ｂ）は、音声信号に対してフェードアウト処理を行う場合のフェード処理部１３の処理例を示した図である。図３（ｂ）において、音声信号は制御部６の制御に基づいて乗算器１３ａに入力され、乗算器１３ａにおいて、所定のフェード期間の開始から終了までの間、係数を１から０まで減少させながら音声信号に掛け合わせることにより、音声信号の出力値を１から０まで変化させて出力する。フェード処理部４とフェード処理部１３でのフェード処理は、制御部６の制御に基づいて同期が取られ、同時に行われるようにしてある。
【００２４】
図１に戻って本例のビデオカメラの構成例について説明を続けると、フェード処理部４でフェード処理された映像信号は、表示駆動部９に入力される。表示駆動部９では、供給された映像信号に基づいて表示部１０での映像表示を駆動する。表示部１０としては、例えば液晶画像表示パネルが使用される。フェード処理部４でフェード処理された映像信号は、符号化部１５にも供給され、符号化部１５でＭＰＥＧ（Moving Picture Experts Group）方式等の映像信号に変換される。符号化部１５には、フェード処理部１３でフェード処理された音声信号も供給され、符号化部１５は、入力された音声信号に対しても符号化処理を行う。
【００２５】
符号化部１５で符号化処理された映像信号及び音声信号は、記録媒体とのインターフェース（以下Ｉ／Ｆと称す）である記録媒体Ｉ／Ｆ１６を介して記録媒体１７に伝送され、記録媒体１７に記録される。記録媒体１７は、不揮発性メモリやハードディスクドライブ、テープ等で構成される。
【００２６】
次に、図４のフローチャートを参照して、本例のビデオカメラにおけるフェードイン処理例について説明する。まず、操作部８のうち記録ボタンが押下されたことを制御部６が検知すると（ステップＳ１１）、記録ボタンが押下され続けた時間がｎ秒を経過したか否かの判断が行われる（ステップＳ１２）。記録ボタンが押下され続けた時間がｎ秒を経過したと判断された場合には、フェード処理部３及びフェード処理部１４（各図１参照）においてフェードイン処理が開始されると同時に、記録媒体１７（図１参照）への記録が開始される（ステップＳ１３）。記録媒体１７への記録が行われている間、予め設定されたフェーダ期間が終了したか否かの判断が行われ（ステップＳ１４）、フェーダ期間が終了したと判断された場合には、その時点でフェードイン処理が終了する（ステップＳ１５）。記録媒体１７への記録は、操作部８への操作入力により記録停止が指示されるまで引き続き行われる。
【００２７】
ステップＳ１２において、記録ボタンが押下され続けた時間がｎ秒を経過していないと判断された場合には、記録ボタンの押下操作が終了したか否か、つまり、記録ボタンからユーザの手が離れたか否かの判断が行われる（ステップＳ１６）。記録ボタンの押下操作が終了したと判断された場合には、フェードイン処理は行われずに通常の記録が開始される（ステップＳ１７）。
【００２８】
次に、図５のフローチャートを参照して、本例のビデオカメラにおけるフェードアウト処理例について説明する。まず、記録が行われている状態で、操作部８のうち記録ボタンが押下されたことを制御部６が検知すると（ステップＳ２１）、記録ボタンが押下され続けた時間がｎ秒を経過したか否かの判断が行われる（ステップＳ２２）。記録ボタンが押下され続けた時間がｎ秒を経過したと判断された場合には、フェード処理部３及びフェード処理部１４（各図１参照）においてフェードアウト処理が開始される（ステップＳ２３）。フェードアウト処理が開始されると、予め設定されたフェーダ期間が終了したか否かの判断が行われ（ステップＳ２４）、フェーダ期間が終了したと判断されると、フェードアウト処理が停止されると共に、記録媒体１７（図１参照）への記録が停止される（ステップＳ２５）。
【００２９】
ステップＳ２２において、記録ボタンが押下され続けた時間がｎ秒を経過していないと判断された場合には、記録ボタンの押下操作が終了したか否か、つまり、記録ボタンからユーザの手が離れたか否かの判断が行われる（ステップＳ２６）。記録ボタンの押下操作が終了したと判断された場合には、フェードアウト処理を行わずに記録が停止される（ステップＳ２７）。
【００３０】
このように、記録ボタンがｎ秒以上押下された場合には、フェードイン処理を開始させると共に記録動作を開始させ、記録動作中に記録ボタンがｎ秒以上押下された場合にはフェードアウト処理を開始させてから、フェードアウト処理の完了と同時に記録動作を開始させるようにしたため、フェード効果追加用の専用の操作子を新たに設ける必要がなくなり、ビデオカメラ上の限られたスペースを有効活用することができるようになる。
【００３１】
またこの場合、ビデオカメラには必ず存在する記録ボタンにフェード処理機能の開始又は停止の機能を割り当ててあるため、フェードイン又はフェードアウトのフェーダ機能を有効にさせたい場合にボタンを探す必要がなく、ユーザの操作性が向上する。
【００３２】
またこの場合、記録ボタンを長押しすればフェード機能が有効となるようにしてあるため、フェード機能を有効にさせたいと思ったタイミングで記録ボタンを長押しすればよく、フェード機能の有効・無効を事前に設定しておく必要がなくなる。
【００３３】
さらにこの場合、記録ボタンの押下をｎ秒未満で開放すれば通常の録画が開始又は停止されるため、フェード機能を使わずに記録を開始又は停止させたい場合にも、事前の設定等特別な操作を行う必要がなくなり、ユーザの使い勝手が良くなる。
【００３４】
なお、ここまで説明した実施の形態では、記録ボタンが押下されてからｎ秒が経過した時点でフェード機能を有効とする例を説明したが、記録ボタン押下操作の停止時にフェード機能を有効化させるようにしてもよい。この場合のフェードイン処理例について、図６のフローチャートを参照して説明する。
【００３５】
まず、操作部８のうち記録ボタンが押下されたことを制御部６が検知すると（ステップＳ３１）、次に記録ボタンの押下操作が終了したか否か、つまり、記録ボタンからユーザの手が離れたか否かの判断が行われる（ステップＳ３２）。記録ボタンの押下操作が終了したと判断された場合は、記録ボタンが押下され続けた時間がｎ秒以上であったか否かが判断される（ステップＳ３３）。記録ボタンが押下され続けた時間がｎ秒以上であったと判断された場合には、フェード処理部３及びフェード処理部１４（図１参照）においてフェードイン処理が開始されると同時に、記録媒体１７への記録が開始される（ステップＳ３４）。
【００３６】
記録媒体１７への記録が行われている間、予め設定されたフェーダ期間が終了したか否かの判断が行われ（ステップＳ３５）、フェーダ期間が終了したと判断された場合にはフェードイン処理が終了される（ステップＳ３６）。記録媒体１７への記録は、操作部８への操作入力により記録停止が指示されるまで引き続き行われる。ステップＳ３３において、記録ボタンが押下され続けた時間がｎ秒を経過していないと判断された場合には、フェードイン処理を行わない通常の記録が開始される（ステップＳ３７）。
【００３７】
図７は、記録ボタン押下操作の停止時にフェード機能を有効化させる場合の、フェードアウト処理例を示すフローチャートである。図７において、まず、記録が行われている状態で、操作部８のうち記録ボタンが押下されたことを制御部６が検知すると（ステップＳ４１）、次に記録ボタンの押下操作が終了したか否か、つまり、記録ボタンからユーザの手が離れたか否かの判断が行われる（ステップＳ４２）。記録ボタンの押下操作が終了したと判断された場合は、記録ボタンが押下され続けた時間がｎ秒以上であったか否かが判断される（ステップＳ４３）。
【００３８】
記録ボタンが押下され続けた時間がｎ秒以上であったと判断された場合には、フェード処理部３及びフェード処理部１４（各図１参照）においてフェードアウト処理が開始される（ステップＳ４４）。フェードアウト処理が開始されると、予め設定されたフェーダ期間が終了したか否かの判断が行われ（ステップＳ４５）、フェーダ期間が終了したと判断されると、フェードアウト処理が停止されると共に、記録媒体１７（図１参照）への記録が停止される（ステップＳ４６）。ステップＳ４３において、記録ボタンが押下され続けた時間がｎ秒を経過していないと判断された場合には、フェードアウト処理を行わずに記録が停止される（ステップＳ４７）。
【００３９】
このように構成することで、フェードイン又はフェードアウトをさせたい場合には記録ボタンを所定の時間長押しすればよくなり、記録ボタンから手を離したタイミングでフェードイン又はフェードアウトが開始されるようになる。このため、直感的な操作が可能になると共に、フェードイン又はフェードアウト処理の開始タイミングを容易に計ることができるようになる。
【００４０】
また、ここまで説明した実施の形態では、フェードイン又はフェードアウト処理を行うフェード期間は任意に設定可能なものとして説明を行ったが、記録ボタンの押下時間をフェード期間とするようにしてもよい。この場合のフェードイン処理例を図８のフローチャートを参照して説明する。
【００４１】
まず、操作部８のうち記録ボタンが押下されたことを制御部６が検知すると（ステップＳ５１）、次に記録ボタンの押下操作が終了したか否か、つまり、記録ボタンからユーザの手が離れたか否かの判断が行われる（ステップＳ５２）。記録ボタンの押下操作が終了したと判断された場合は、記録ボタンが押下され続けた時間がｎ秒以上であったか否かが判断される（ステップＳ５３）。記録ボタンが押下され続けた時間がｎ秒以上であったと判断された場合には、フェード処理部３及びフェード処理部１４（図１参照）においてフェードイン処理が開始されると同時に、記録媒体１７への記録が開始される（ステップＳ５４）。
【００４２】
記録媒体１７への記録が行われている間、フェーダ期間、つまり記録ボタンが押下され続けたｎ秒が経過したか否かの判断が行われ（ステップＳ５５）、ｎ秒が経過してフェーダ期間が終了したと判断された場合にはフェードイン処理が終了される（ステップＳ５６）。記録媒体１７への記録は、操作部８への操作入力により記録停止が指示されるまで引き続き行われる。ステップＳ５３において、記録ボタンが押下され続けた時間がｎ秒を経過していないと判断された場合には、フェードイン処理を行わない通常の記録が開始される（ステップＳ５７）。
【００４３】
図９は、記録ボタンの押下時間をフェード期間とした場合の、フェードアウト処理例を示すフローチャートである。図９において、まず、記録が行われている状態で、操作部８のうち記録ボタンが押下されたことを制御部６が検知すると（ステップＳ６１）、次に記録ボタンの押下操作が終了したか否か、つまり、記録ボタンからユーザの手が離れたか否かの判断が行われる（ステップＳ６２）。記録ボタンの押下操作が終了したと判断された場合は、記録ボタンが押下され続けた時間がｎ秒以上であったか否かが判断される（ステップＳ６３）。
【００４４】
記録ボタンが押下され続けた時間がｎ秒以上であったと判断された場合には、フェード処理部３及びフェード処理部１４（各図１参照）においてフェードアウト処理が開始される（ステップＳ６４）。フェードアウト処理が開始されると、フェーダ期間、つまり記録ボタンが押下され続けたｎ秒が経過したか否かの判断が行われ（ステップＳ６５）、ｎ秒が経過してフェーダ期間が終了したと判断されると、フェードアウト処理が停止されると共に、記録媒体１７（図１参照）への記録が停止される（ステップＳ６６）。ステップＳ６３において、記録ボタンが押下され続けた時間がｎ秒を経過していないと判断された場合には、フェードアウト処理を行わずに記録が停止される（ステップＳ６７）。
【００４５】
このように構成することで、記録ボタンを押下し続けた時間がそのままフェードイン又はフェードアウトが行われる時間となるため、フェードイン又はフェードアウトの時間を簡易な操作で適切に指定することができるようになる。
【００４６】
また、ここまで説明した実施の形態では、記録ボタンの押下時間がｎ秒以上であった場合にフェード機能の有効化させ、フェード機能の有効化と同時に記録を開始させる例を説明したが、記録ボタンが押下された時点で記録を開始させるようにしてもよい。この場合のフェードイン処理例について、図１０のフローチャートを参照して説明する。
【００４７】
図１０において、まず、操作部８のうち記録ボタンが押下されたことを制御部６が検知すると（ステップＳ７１）、同時に、フレームメモリ５及びフレームメモリ１４（各図１参照）への映像データ蓄積を開始させる（ステップＳ７２）。次に、記録ボタンが押下され続けた時間がｎ秒以上であったか否かが判断され（ステップＳ７３）、記録ボタンが押下され続けた時間がｎ秒以上であったと判断された場合には、フェード処理部３及びフェード処理部１４（図１参照）においてフェードイン処理が開始されると同時に（ステップＳ７４）、フレームメモリ５及びフレームメモリ１４に蓄積された映像データが、記録媒体１７（図１参照）へ記録される（ステップＳ７５）。
【００４８】
記録媒体１７へのデータ転送が行われている間、フェーダ期間が経過したか否かの判断が行われ（ステップＳ７６）、フェーダ期間が終了したと判断された場合にはフェードイン処理が終了される（ステップＳ７７）。記録媒体１７への記録は、操作部８への操作入力により記録停止が指示されるまで引き続き行われる。ステップＳ７３において、記録ボタンが押下され続けた時間がｎ秒を経過していないと判断された場合には、記録ボタンの押下操作が終了したか否か、つまり、記録ボタンからユーザの手が離れたか否かの判断が行われ（ステップＳ７８）、記録ボタンの押下操作が終了したと判断された場合は、フェードイン処理は行われず、フレームメモリ４及びフレームメモリ１３に蓄積された映像データが記録媒体１７に記録される（ステップＳ７９）。
【００４９】
このように構成することで、記録ボタン押下時に記録が開始され、記録ボタンを長押ししてフェードイン処理を指示した段階で、フレームメモリに蓄積されたデータにフェードイン効果が追加されて記録媒体に記録されるようになる。これにより、フェードイン又はフェードアウト処理を行わせたい場合にも、記録開始のタイミングを計りやすくなる。
【００５０】
また、ここまで説明した実施の形態では、記録開始時又は記録停止時にフェード機能を有効化させ、フェードイン又はフェードアウト効果が追加された映像データを記録媒体に記録させる例を説明したが、映像データ再生時にフェードイン又はフェードアウト効果を追加するようにしてもよい。図１１に、この処理を行う場合の構成例を示してある。図１１においては、記録開始時又は記録停止時の記録ボタン押下時間情報を、制御部６の制御に基づいて、例えばメタデータとして記録媒体１７等に記憶させておき、再生時に制御部６が記録媒体１７から記録媒体Ｉ／Ｆ１６を介してメタデータを読み出す。制御部６は、読み出したメタデータの内容を判断して、フェードイン又はフェードアウト効果追加の必要の有無を指示する指令信号をフェード処理部４に供給する。制御部６から指令信号が出力されると、記録媒体Ｉ／Ｆ１６を介して記録媒体１７から映像データが読み出されて復号化部１８で復号される。そしてフェード処理部４が、制御部６からの指令信号に基づき、復号化部１８で復号化された映像データに対して必要に応じてフェードイン又はフェードアウト効果を追加して、フェードイン又はフェードアウト効果が追加された映像信号又はこれらの効果が追加されていない映像信号を表示駆動部９に供給する。このように構成することで、記録時の記録ボタン押下の操作内容に基づいて、フェードイン又はフェードアウト効果が映像データ再生時に追加されるようになる。なお、図１１では撮像部２で得た映像信号がフェード処理部４を経て記録媒体１７へ記録される構成としてあるが、フェード処理部４においては、撮像部２で得た映像信号にフェード処理を付加せず、そのまま符号化部１５に出力する処理も行うものとする。
【００５１】
この時のフェードアウト処理は、記録停止された箇所から遡って行うようにしてもよく、記録停止時に記録ボタンが長押しされた時点でフェードアウト処理分だけ長めに記録を行うようにし、その部分に対してフェードアウト処理を行うようにしてもよい。また、記録停止操作のあった箇所から先は静止画像を連続して表示させるようにし、その部分に対してフェードアウト処理を行うようにしてもよい。
【００５２】
また、ここまで説明した実施の形態では、ビデオカメラの電源のオン・オフ処理については特に説明していないが、例えば、記録ボタンの操作に連動して、ビデオカメラの電源のオン・オフ処理を行うようにしてもよい。この場合、例えば、図５のフローチャートに示したフェードアウト処理を行う場合には、ステップＳ２２で記録ボタンのｎ秒の押下を検知してフェードアウト処理が開始されると、記録媒体への書き込みを、通常の書き込み速度よりも高速で行い、ステップＳ２５のフェードアウト終了までの時間を、書き込み速度の高速化に対応して短時間で終了させて、その後、電源オフするようにして、電源オフとなるまでの時間を短縮してもよい。例えば通常よりも２倍で記録媒体へ書き込ませるとすると、記録ボタンのｎ秒の押下を検知してから電源オフとなるまでの時間を、約１/２に短縮することができる。但し、この場合には、フェードアウト処理中に書き込まれる画像を静止画像にする等の対処が必要になる。
【００５３】
さらに、上述した実施の形態では、ビデオカメラに適用した例を説明したが、これに限らず、例えば、記録及び再生機能を有する撮像装置、又はそれらと同等の機能を有するその他の装置等であってもよく、様々な装置に広く適用可能である。
【図面の簡単な説明】
【００５４】
【図１】本発明の一実施の形態によるビデオカメラの構成例を示すブロック図である。
【図２】本発明の一実施の形態によるフェードイン処理例を示す説明図である。
【図３】本発明の一実施の形態によるフェードアウト処理例を示す説明図である。
【図４】本発明の一実施の形態によるフェードイン処理例を示すフローチャートである。
【図５】本発明の一実施の形態によるフェードアウト処理例を示すフローチャートである。
【図６】本発明の他の実施の形態によるフェードイン処理例を示すフローチャートである。
【図７】本発明の他の実施の形態によるフェードアウト処理例を示すフローチャートである。
【図８】本発明の他の実施の形態によるフェードイン処理例を示すフローチャートである。
【図９】本発明の他の実施の形態によるフェードアウト処理例を示すフローチャートである。
【図１０】本発明の他の実施の形態によるフェードイン処理例を示すフローチャートである。
【図１１】本発明の他の実施の形態によるビデオカメラの構成例を示すブロック図である。
【符号の説明】
【００５５】
１…レンズ、２…撮像部、３…信号処理部、４、１３…フェード処理部、５、１４…フレームメモリ、６…制御部、７…ＲＡＭ、８…操作部、９…表示駆動部、１０…表示部、１１…マイクロフォン、１２…音声処理部、１５…符号化部、１６…記録媒体Ｉ／Ｆ、１７…記録媒体、１８…復号化部
【図１】
2008053840.tif 000003
【図２】
2008053840.tif 000004
【図３】
2008053840.tif 000005
【図４】
2008053840.tif 000006
【図５】
2008053840.tif 000007
【図６】
2008053840.tif 000008
【図７】
2008053840.tif 000009
【図８】
2008053840.tif 000010
【図９】
2008053840.tif 000011
【図１０】
2008053840.tif 000012
【図１１】
2008053840.tif 000013